(57)【特許請求の範囲】
【請求項１】
建物の室内側及び室外側の境界位置となるスラブ上にサッシ固定用コンクリートを打設し、このサッシ固定用コンクリートにサッシ下枠を固定してフロントサッシを配置するとともに、室外側の前記スラブ上、或いは室内側の前記スラブ上に防水シートを敷設し、該防水シートのシート端部を前記サッシ固定用コンクリートの側部に沿って立ち上がるように配置し、或いは、該防水シートのシート端部を前記サッシ下部に配置した後に室内側立上りコンクリート部に沿って立ち上がるように配置し、前記シート端部を覆うように保護緩衝材を配置し、該保護緩衝材に接した状態で前記防水シート上に押えコンクリートを打設し、該押えコンクリート上に床仕上げ材を配置し、該床仕上げ材と前記サッシ下枠との間の隙間にシーリング材を充填してなるフロントサッシ下部の防水構造において、
前記保護緩衝材を、網状繊維形状の透水部と、この透水部に層状に固定された弾性を有する緩衝部とで構成し、前記緩衝部が前記押えコンクリートに接するように配置し、前記サッシ下枠の近傍から浸入した雨水等の水が前記透水部を通過して下方に速やかに流れるようにするとともに、
前記保護緩衝材の下部で排水口が開口している排水路を、前記防水シートと前記押えコンクリートとの境界面に配置したことを特徴とするフロントサッシ下部の防水構造。
【発明の詳細な説明】
【０００１】
【発明の属する技術分野】
この発明は、フロントサッシ下部の防水構造に関する。
【０００２】
【従来の技術】
地下を備えた建物の一階の外周壁に配置したフロントサッシや、中間階のベランダ、バルコニーに面する壁に配置したフロントサッシの下部には、室内や建物床部への雨水の浸入を防止するため図６に示す防水施工が行われている。
この図によると、スラブ２上のフロントサッシを配置する位置に躯体コンクリート４を打設し、この躯体コンクリート４内にサッシアンカ６を埋設した状態でフロントサッシ８の下枠８ａが固定されている。
【０００３】
躯体コンクリート４より室外側のスラブ２上には、防水シート１０が敷設されており、その端部１０ａは躯体コンクリート４に沿って立ち上がっている。
防水シート１０上には押えコンクリート１２が層状に打設されており、この押えコンクリート１２上には床仕上げ材１４が設けられている。
躯体コンクリート４より室内側のスラブ２上には、増し打ちコンクリート１６が層状に打設されており、この増し打ちコンクリート１６上には床仕上げ材１４が層状に設けられている。
【０００４】
室外側を向く下枠８ａ下部と躯体コンクリート４の間にはシーリング材２０が充填されて液密性が保持されていることともに、防水シート１０の端部１０ａは押えコンクリート１２及び躯体コンクリート４の間に配設した発泡ポリエチレン等の樹脂材からなる保護緩衝材１８で上部から覆われている。そして、フロントサッシ８の下枠８ａと室外側及び室内側の床仕上げ材１４の間にはシーリング材２０が充填されて液密性が保持されている。
【０００５】
【発明が解決しようとする課題】
しかし、上記構造のフロントサッシ下部の防水構造にあっては、若し、下枠８ａの室外側及び室内側に配設したシーリング材２０が経時劣化によって液密性を失うと、下枠８ａの下部側に雨水等の水が浸入していき、スラブ２から階下や地下への漏水のおそれがあるとともに、防水シート１０の下面に水が滞留してしまうと、スラブ２から階下や地下への漏水が発生するとともに、防水シート１０が早期に劣化するおそれがある。
【０００６】
本発明は上記事情に鑑みてなされたものであり、サッシ下枠側から浸入した雨水等の水を速やかに外部に流し出して室内側は勿論のことサッシ下枠の下部側への漏水を確実に防止することができるフロントサッシ下部の防水構造を提供することを目的としている。
【０００７】
【課題を解決するための手段】
上記課題を解決するために、この発明は、建物の室内側及び室外側の境界位置となるスラブ上にサッシ固定用コンクリートを打設し、このサッシ固定用コンクリートにサッシ下枠を固定してフロントサッシを配置するとともに、室外側の前記スラブ上、或いは室内側の前記スラブ上に防水シートを敷設し、該防水シートのシート端部を前記サッシ固定用コンクリートの側部に沿って立ち上がるように配置し、或いは、該防水シートのシート端部を前記サッシ下部に配置した後に室内側立上りコンクリート部に沿って立ち上がるように配置し、前記シート端部を覆うように保護緩衝材を配置し、該保護緩衝材に接した状態で前記防水シート上に押えコンクリートを打設し、該押えコンクリート上に床仕上げ材を配置し、該床仕上げ材と前記サッシ下枠との間の隙間にシーリング材を充填してなるフロントサッシ下部の防水構造において、前記保護緩衝材を、網状繊維形状の透水部と、この透水部に層状に固定された弾性を有する緩衝部とで構成し、前記緩衝部が前記押えコンクリートに接するように配置し、前記サッシ下枠の近傍から浸入した雨水等の水が前記透水部を通過して下方に速やかに流れるようにするとともに、前記保護緩衝材の下部で排水口が開口している排水路を、前記防水シートと前記押えコンクリートとの境界面に配置した。
【０００８】
【発明の実施の形態】
以下、本発明に係る第１実施形態について図１及び図２を参照して説明する。なお、図６に示す構成と同一構成部分には同一符号を付してその説明を省略する。
本実施形態ではフロントサッシ８の下枠８ａを躯体コンクリート４で固定しており、防水シート１０の端部１０ａを保護するために押えコンクリート１２及び躯体コンクリート４の間に保護緩衝材２２が配設されている。
【０００９】
この保護緩衝材２２は、図２に示すように、ヘチマロン（商品名）等の合成樹脂からなる網状繊維体であって板状に形成した透水部２４と、この透水部２４の上面及び下面に層状に貼設した発泡ポリエチレン等の合成樹脂材からなる２枚の緩衝部２６とで構成されている。ここで、図２の符号２８は養生テープであり、この養生ープ２８は、押えコンクリート１２を打設する際にコンクリートが透水部２４内に流れ込むのを防止しており、押えコンクリート１２の打設が完了した後に取り除かれる。
【００１０】
また、押えコンクリート１２の下部には、一端開口部を保護緩衝材２２に向けた排水管３０が、保護緩衝材２２から離れるに従い下り傾斜を付けた状態で所定間隔をあけて複数配設されている。
上記構造の施工手順は、スラブ２を施工し、スラブ２から立ち上がるアンカにサッシアンカ６を固着し、躯体コンクリート４を打設した後にフロントサッシ８を組み立て、防水シート１０の敷設作業を行った後に保護緩衝材２２を配置し、押えコンクリート１２の打設を行った後に、床仕上げ材１４の配置とシーリング材２０の充填作業を行う。
【００１１】
上記構成によると、下枠８ａの室外側及び室内側に配設したシーリング材２０が経時劣化によって液密性を失って上部から雨水等の水が浸入しても、その水は透水部２４の網状繊維内を下部側に浸透していき、フロントサッシ８の下部の防水シート１０上に流れていく。そして、防水シート１０上に流れた水は、排水管３０を通って外部に排出される。
【００１２】
このように、フロントサッシ８の下部に流れ込んだ水は、速やかにフロントサッシ８の下部から離れた外部まで流れ出る構造としているのでスラブ２上に水が溜まらず、階下や地下への漏水のおそれが解消されるとともに、防水シート１０の下面に水が到達しないので、防水シート１０の耐久性が向上する。
また、躯体コンクリート４に埋設されているサッシアンカ６も確実に水との接触が防止されるので、サッシアンカ６の発錆が防止されてアルミサッシ８の耐久性も向上する。
【００１３】
また、押えコンクリート１２を打設する際には、透水部２４と押えコンクリート１２との間に緩衝部２６が介在しているので、押えコンクリート１２のノロが透水部２４の網状繊維内に浸入して透水部２４の透水性が悪化するなどの不都合が発生することがない。
次に、本発明に係る第２実施形態について図３を参照して説明する。なお、本実施形態も、図１及び図２に記載した構成と同一構成部分には、同一符号を付してその説明を省略する。
【００１４】
本実施形態は、防水シート１０が室内側まで延在しており、フロントサッシ８の下枠８ａが防水シート１０上に打設した基礎用押えコンクリート１３及びモルタル１５により固定されているとともに、室外側より高い段差を設けたスラブ２の段差面に沿って端部１０ａが立ち上がっている。
そして、押えコンクリート１２及び基礎用押えコンクリート１３との間に保護緩衝材２２が配設されているとともに、基礎用押えコンクリート１３とスラブ２との間に緩衝部２６及び透水部２４の２層部材からなる保護緩衝材３３が配設されている。ここで、保護緩衝材３３は、緩衝部３６が基礎用押えコンクリート１３に接し、透水部２４が防水シート１０の端部１０ａを上部から覆った状態で配設されている。また、フロントサッシ８の室内側には、モルタル１５、基礎用押えコンクリート１３及び保護緩衝材３３を覆うカバー部材３２が固定されている。
【００１５】
上記構造の施工手順は、スラブ２を施工し、防水シート１０の敷設作業を行い、スラブ２の立ち上がり部側に保護緩衝材３３と排水管３０を配設し、基礎用押えコンクリート１３を打設し、この基礎用押えコンクリート１３上にモルタル１５を打設してアンカを埋設し、基礎用押えコンクリート１３に沿って保護緩衝材２２を配置し、押えコンクリート１２の打設を行った後に、床仕上げ材１４の配置、シーリング材２０の充填作業及びカバー部材３２の取り付け作業を行う。
【００１６】
上記構成によると、若し、カバー部材３２の下部に雨水等の水が浸入して保護緩衝材３３側に流れてきても、その水は透水部２４の網状繊維内を下部側に浸透していき、速やかに防水シート１０上に流れていく。また、室外側のシーリング材２０が劣化して下部側に水が浸入してきても、保護緩衝材２２の透水部２４が速やかに水を下部側に流して防水シート１０上に導く。そして、防水シート１０上の水は排水管３０を通って外部に排出されていく。
【００１７】
このように、フロントサッシ８の室外側または室内側の下部に流れ込んだ水は、速やかにフロントサッシ８の下部から離れた外部まで流れ出る構造としているのでスラブ２上に水が溜まらず、階下や地下への漏水のおそれが解消されるとともに、防水シート１０の下面に水が到達しないので、防水シート１０の耐久性が向上し、サッシアンカ６の発錆が防止されてアルミサッシ８の耐久性も向上する。
【００１８】
また、押えコンクリート１２や基礎用押えコンクリート１３を打設する際には、これらのコンクリートと透水部２４との間に緩衝部２６が介在しているので、押えコンクリート１２のノロが透水部２４の網状繊維内に浸入して透水部２４の透水性が悪化するなどの不都合が発生することがない。
ここで、図４に示すものは、押えコンクリート１２及び基礎用押えコンクリート１３との間に保護緩衝材２２を配設せずに液密性を保持する別の構造を示すものである。この構造では、基礎用コンクリート１３の端部側に排水管３１を立てた状態で配設し、この排水管３１の上部開口部３１ａ及び下部開口部３１ｂを閉塞しないように押えコンクリート１２を打設する。なお、押えコンクリート１２には、段差１２ａが設けられており、この段差１２ａで上部開口部１ａが開口している。そして、段差１２ａ上に前述した透水部２４と同一材料の透水材２７を載置し、その透水材２７上にバックアップ材２９を介してシーリング材２０を充填する。上記の構造とすると、室外側のシーリング材２０が劣化して下方に向けて水が流れても、その水は透水材２７、排水管３１を通過して防水シート１０上に速やかに流れていく。
【００１９】
次に、本発明に係る第３実施形態について図５を参照して説明する。
本実施形態は、フロントサッシ８の下枠８ａがスラブ２上に打設した躯体コンクリート４により固定されているとともに、室外側のスラブ２上に敷設されて躯体コンクリート４に沿って端部３２ａが立ち上がっている第１の防水シート３２と、室内側のスラブ２上に敷設されて躯体コンクリート４に沿って端部３４ａが立ち上がっている第２の防水シート３４とを備えている。
【００２０】
そして、室外側の押えコンクリート１２及び躯体コンクリート４との間に緩衝部２６を押えコンクリート１２に接し、この緩衝部２６と透水部２４との２層部材からなる保護緩衝材３３が配設されているとともに、室内側の押えコンクリート１２及び躯体コンクリート４との間に緩衝部２６を押えコンクリート１２に接し、この緩衝部２６と透水部２４との２層部材からなる保護緩衝材３３が配設されている。
【００２１】
上記構造の施工手順は、スラブ２を施工し、スラブ２から立ち上がっているアンカにサッシアンカ６を固着し、躯体コンクリート４を打設した後にフロントサッシ８の組み付けを行い、第１及び第２の防水シート３２、３４の敷設作業を行い、躯体コンクリート４の立ち上がり部に保護緩衝材３３を配設し、押えコンクリート１２の打設を行った後に、床仕上げ材１４の配置、シーリング材２０の充填作業を行う。
【００２２】
上記構成によると、シーリング部材２０の劣化により雨水等の水が下部に浸入して保護緩衝材３３側に流れてきても、その水は透水部２４の網状繊維内を下部側に浸透していき速やかに防水シート１０上と排水管３０の中を流れていくので、上記実施形態と同様の作用効果を得ることができる。
【００２３】
【発明の効果】
以上説明したように、この発明によると、若し、シーリング材が経時劣化によって液密性を失って雨水等の水が下方に浸入しても、その水は透水性を有す保護緩衝材内を速やかに浸透していき防水シート上と排水路を流れていく。これにより、建物の階下や地下への漏水のおそれを解消することができる。
【００２４】
また、押えコンクリートを打設する際には、このコンクリートと透水部との間に緩衝部が介在しているので、押えコンクリートのノロが透水部の網状繊維内に浸入して透水部の透水性が悪化するなどの不都合が発生することがない。
さらに、保護緩衝材の下部に流れた水は、排水路を介してフロントサッシの下部から離れた位置まで即座に流れ出るので、フロントサッシ下部の防水構造を長期に渡って維持することができる。
【図面の簡単な説明】
【図１】本発明に係る第１実施形態を示す図である。
【図２】本発明に係る保護緩衝材の具体的な構造を示す図である。
【図３】本発明に係る第２実施形態を示す図である。
【図４】図３において保護緩衝材を使用しない防水構造を示す図である。
【図５】本発明に係る第３実施形態を示す図である。
【図６】従来のフロントサッシの下部防水構造を示す図である。
【符号の説明】
２    スラブ
４    躯体コンクリート（サッシ固定用コンクリート）
８ａ  下枠（サッシ下枠）
８    フロントサッシ
１０、３２、３４  防水シート
１０ａ、３２ａ、３４ａ  防水シートの端部（シート端部）
１２  押えコンクリート
１４  床仕上げ材
２０  シーリング材
２２、３３  保護緩衝材
２４  透水部
２６  緩衝部
３０、３１  排水管（排水路）
【図１】
0004107404.tif 000002
【図２】
0004107404.tif 000003
【図３】
0004107404.tif 000004
【図４】
0004107404.tif 000005
【図５】
0004107404.tif 000006
【図６】
0004107404.tif 000007